(57)【要約】【課題】存在を強く認識させることのできる照明装置および自動車を提供する。【解決手段】照明装置４は、筒軸方向における一端側に光入射部６を有する筒状の導光体５と、光入射部６に対応して配置された光源７とを備え、光入射部６は、光源７から入射した光の進行方向を、導光体５の筒軸方向に対して略平行な方向に変換する光変換部１２を有し、導光体５は、導光体５の筒軸方向における他端側に同心状に形成された環状の複数の光出射面１３と、隣り合う光出射面１３の境界において導光体５の筒軸方向に沿って形成された壁面状の非光出射面１４とを有する。【選択図】図３
2015164124.tif 000002
【特許請求の範囲】
【請求項１】
筒軸方向における一端側に光入射部を有する筒状の導光体と、
前記光入射部に対応して配置された第一の光源とを備え、
前記光入射部は、前記第一の光源から入射した光の進行方向を、前記導光体の筒軸方向に対して略平行な方向に変換する光変換部を有し、
前記導光体は、当該導光体の筒軸方向における他端側に同心状に形成された環状の複数の光出射面と、隣り合う光出射面の境界において当該導光体の筒軸方向に沿って形成された壁面状の非光出射面とを有する
照明装置。
【請求項２】
前記光入射部は、前記導光体の前記一端側において所定間隔で複数形成されており、
前記第一の光源は、複数の前記光入射部の各々に対応して複数備えられている
請求項１に記載の照明装置。
【請求項３】
前記導光体は、円筒状であり、
前記複数の光出射面は、同心円状に形成されている
請求項１に記載の照明装置。
【請求項４】
前記複数の光出射面の各々は、互いに同じ幅を有する
請求項１〜３のいずれか１項に記載の照明装置。
【請求項５】
前記複数の光出射面の各々は、互いに異なる幅を有する
請求項１〜３のいずれか１項に記載の照明装置。
【請求項６】
前記複数の光出射面は、第一の光出射面と、前記第一の光出射面の外側に位置する第二の光出射面とを有し、
前記第一の光出射面の幅は、前記第二の光出射面の幅よりも広い
請求項５に記載の照明装置。
【請求項７】
前記複数の光出射面は、第一の光出射面と、前記第一の光出射面の外側に位置する第二の光出射面とを有し、
前記第一の光出射面の幅は、前記第二の光出射面の幅よりも狭い
請求項５に記載の照明装置。
【請求項８】
さらに、
前記導光体の内側に設けられたカップ状の反射鏡と、
前記反射鏡の中心部に設けられた第二の光源とを備える
請求項１に記載の照明装置。
【請求項９】
さらに、
前記導光体の前記他端側の外周を覆うカバーと、
前記導光体の前記一端側の外周を覆う本体ケースとを備える
請求項８に記載の照明装置。
【請求項１０】
請求項１〜９のいずれか１項に記載の照明装置と、
車体とを備え、
前記照明装置は、前記車体の前方および後方の少なくとも一箇所に配置されている
自動車。
【発明の詳細な説明】
【技術分野】
【０００１】
本発明は、照明装置および照明装置を有する自動車に関する。
【背景技術】
【０００２】
自動車等の車両の前方または後方には、照明装置が用いられている。近年、自動車においては、昼間でも照明装置を発光させることで歩行者または他の自動車の運転者に対して自分の自動車の存在を知らしめることが行われるようになってきた。
【０００３】
この種の照明装置は、例えば、一端側が光入射側で他端側が光出射側となった筒状の導光体と、この導光体の一端側に配置された光源とを備えており、導光体の他端側には、同心円状の複数の光出射面が段差状に形成されている（例えば特許文献１）。
【０００４】
このような照明装置では、光源からの光を導光体に入射させて、複数の光出射面およびこの光出射面間の段差を構成する立壁面を発光させている。これにより、例えば丸い光を前方に照射させることができるので、歩行者または他の自動車の運転者に対して自分の自動車の存在を認識させることができる。
【先行技術文献】
【特許文献】
【０００５】
【特許文献１】特開２００５−１９３８９２号公報
【発明の概要】
【発明が解決しようとする課題】
【０００６】
人にとって、単純な丸い光は、一時的には注意喚起に結びつくが、時間の経過とともに認識されにくくなる。その結果、安全性が低下する。
【０００７】
本発明は、存在を強く認識させることのできる照明装置および自動車を提供することを目的とする。
【課題を解決するための手段】
【０００８】
この目的を達成するために、本発明に係る照明装置の一態様は、筒軸方向における一端側に光入射部を有する筒状の導光体と、前記光入射部に対応して配置された第一の光源とを備え、前記光入射部は、前記第一の光源から入射した光の進行方向を、前記導光体の筒軸方向に対して略平行な方向に変換する光変換部を有し、前記導光体は、当該導光体の筒軸方向における他端側に同心状に形成された環状の複数の光出射面と、隣り合う光出射面の境界に前記導光体の筒軸方向に沿って形成された壁面状の非光出射面とを有する。
【発明の効果】
【０００９】
照明装置の存在を強く認識させることができる。したがって、この照明装置の自動車に用いた場合に、歩行者または他の自動車の運転者には自分の自動車の存在を強く認識させることができるので、安全性を高めることができる。
【図面の簡単な説明】
【００１０】
【図１】実施の形態１にかかる自動車の正面図
【図２】実施の形態１にかかる照明装置の側面図
【図３】図２のＡ−Ａ線における実施の形態１にかかる照明装置の断面図
【図４】実施の形態１にかかる照明装置の分解側面図
【図５】実施の形態１にかかる照明装置における導光体の背面図
【図６】実施の形態１にかかる照明装置における導光体の正面図
【図７】図６のＢ−Ｂ線における実施の形態１にかかる照明装置における導光体および発光モジュールの断面図
【図８】図７のＣ部における拡大断面図
【図９】実施の形態１にかかる照明装置における導光体の正面図
【図１０】実施の形態１にかかる照明装置における導光体の斜視図
【図１１】実施の形態１にかかる照明装置における導光体の傾斜状態を示す図
【図１２】実施の形態２にかかる照明装置の斜視図
【図１３】実施の形態３にかかる照明装置の斜視図
【発明を実施するための形態】
【００１１】
以下、本発明の実施の形態について、図面を用いて説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態１）
まず、本発明の実施の形態１に係る自動車１について、図１を用いて説明する。図１は、実施の形態１にかかる自動車の正面図である。
【００１４】
図１に示すように、本実施の形態における自動車１には、照明装置４が搭載されている。具体的に、自動車１は、四輪自動車等の車両の一例であって、車体２と、車体２の前方部の上方の左右に設けられた一対のヘッドライト３と、車体２の前方部のヘッドライト３の下方の左右に設けられた一対の照明装置４とを備える。
【００１５】
照明装置４は、フォグランプまたはＤＲＬ（Ｄａｙｌｉｇｈｔ  Ｒｕｎｎｉｎｇ  Ｌａｍｐ／Ｄａｙｔｉｍｅ  Ｒｕｎｎｉｎｇ  Ｌｉｇｈｔ）であり、夜間だけではなく昼間にも点灯させることができる。なお、照明装置４は、フォグランプまたはＤＲＬに限定されるものではない。
【００１６】
照明装置４の具体的な構成について、図２〜図４を用いて説明する。図２は、実施の形態１にかかる照明装置の側面図であり、図３は、図２のＡ−Ａ線における同照明装置の断面図であり、図４は、同照明装置の分解側面図である。
【００１７】
図２〜図４に示すように、照明装置４は、筒軸方向における一端側に光入射部６を有する筒状の導光体５と、光入射部６に対応して配置された光源７（第一の光源）とを備える。
【００１８】
照明装置４は、さらに、導光体５の内側に設けられたカップ状の反射鏡８と、反射鏡８の中心部に設けられた光源９（第二の光源）とを備える。
【００１９】
本実施の形態における照明装置４は、さらに、導光体５の他端側の前方外周を覆うカバー１０と、導光体５の一端側の後方外周を覆う本体ケース１１とを備える。
【００２０】
このように構成される照明装置４では、夜間などにおいては光源９を点灯させる。この場合、光源９からの光は、カップ状の反射鏡８で中心軸方向に集光し、より遠方へと届けられる。つまり、光源９は、自動車１の運転者が、他の自動車や歩行者、路面等を認識できるように、自動車１の前方を照らす照明手段である。
【００２１】
これに対して、光源７は、夜間だけでなく、昼間にも点灯させるものである。つまり、光源７は、歩行者や他の自動車の運転者に対して自分の自動車１の存在を強く認識させるために設けられている。
【００２２】
以下、照明装置４における導光体５および光源７の詳細な構成について、図５〜図８を用いて説明する。図５は、実施の形態１にかかる照明装置における導光体の背面図であり、光入射側から見たときの導光体を示している。図６は、同照明装置における導光体の正面図であり、光出射側から見たときの導光体を示している。また、図７は、図６のＢ−Ｂ線における同照明装置における導光体および発光モジュールの断面図であり、図８は、図７のＣ部における拡大断面図である。
【００２３】
導光体５は、全体として略円筒状の筒状体であり、例えば透光性を有する合成樹脂によって一体形成されている。
【００２４】
導光体５の一端側は光入射側であって、図５に示すように、導光体５の一端側には、複数の光入射部６が形成されている。図７および図８に示すように、光源７は、光入射部６に対向して配置されている。
【００２５】
本実施の形態において、光入射部６は、導光体５の一端側において所定間隔で複数形成されている、また、光源７は、複数の光入射部６の各々に対応して複数備えられている。具体的には、図５に示すように、円環状に配置された１８個の光入射部６が導光体５の一端側に形成されており、各光入射部６に一対一で光源７が配置されている。
【００２６】
図８に示すように、各光入射部６は、光源７から導光体５に入射した光の進行方向を、導光体５の筒軸方向に対して略平行な方向に変換させる光変換部１２を有する。光変換部１２は、光の進行方向を変更するレンズ作用を有するレンズ部である。光変換部１２は、光入射側から光出射側に向かって外径が漸次大きくなる略円錐台形状の凸部であり、凸部における光源７に対向する位置には凹部が形成されている。光変換部１２（凸部）の外面は湾曲面または傾斜面である。凹部の底面は、光源７側に向かって凸状に形成された湾曲面であり、凹部の側面は、底面を囲むように形成された傾斜面である。
【００２７】
光変換部１２における傾斜面および湾曲面は、導光体５の合成樹脂による一体成形の際に同時に形成することができる。
【００２８】
一方、導光体５の他端側は光出射側であって、図６および図７に示すように、導光体５の筒軸方向における他端側に同心状に形成された環状の複数の光出射面１３と、隣り合う光出射面１３の境界において導光体５の筒軸方向に沿って形成された壁面状の非光出射面１４とを有する。
【００２９】
本実施の形態において、複数の光出射面１３の各々は、一定幅の円環状であり、同心円状に形成されている。一例として、複数の光出射面１３の各々は、互いに同じ幅を有する。また、複数の光出射面１３は、階段状（段差状）に形成されている。非光出射面１４は、複数の光出射面１３において、隣り合う光出射面１３間の段差を構成する立壁面であり、本実施の形態では、複数形成されている。各光非出射面１４は、高さが一定の円筒面である。
【００３０】
各光源７は、第一の光源であって、例えば発光ダイオード（ＬＥＤ）からなるＬＥＤ光源である。光源７は、一例として白色ＬＥＤ光源であり、例えば、青色光を発する青色ＬＥＤチップと黄色蛍光体とを用いて白色光を出射するものであってもよいし、各々が青色光、赤色光および緑色光を発するＬＥＤチップを用いて白色光を出射するものであってもよい。なお、光源７は、白色光を出射するものに限らず、オレンジ光等を出射するものであってもよい。
【００３１】
本実施の形態において、複数の光源７は、円環状の基板（実装基板）に円環状の配列で実装されている。各光源７は、樹脂製の容器内に１つ以上のＬＥＤチップ（ベアチップ）を実装して封止部材（例えば蛍光体を含む樹脂）で封入した構成のＳＭＤ（ＳＵＲＦＡＣＥ  ＭＯＵＮＴ  ＤＥＶＩＣＥ）タイプの発光素子である。この場合、基板と複数の光源７とでＳＭＤタイプのＬＥＤモジュールが構成される。
【００３２】
なお、光源７がＬＥＤチップそのものであってもよく、この場合、ＬＥＤチップを基板に直接実装して封止部材（例えば蛍光体を含む樹脂）で封止することで、ＣＯＢ（ＣＨＩＰ  ＯＮ  ＢＯＡＲＤ）タイプのＬＥＤモジュールが構成される。
【００３３】
光源９は、第二の光源であって、例えばＬＥＤ光源である。一例として、光源９は白色ＬＥＤ光源であり、光源７と同様の構成とすることができる。
【００３４】
以上、本実施の形態における照明装置４によれば、導光体５の一端側には、光源７から入射した光の進行方向を導光体５の筒軸方向に対して略平行な方向に変換する光変換部１２が設けられており、また、導光体５の他端側には、各々が環状の複数の光出射面１３が同心円状に形成されている。さらに、隣り合う光出射面１３の境界には、導光体５の筒軸方向に沿って立壁面状の非光出射面１４が形成されている。
【００３５】
これにより、光源７から導光体５に入射した光は、光変換部１２によって、導光体５の筒軸方向に対して略平行な方向に進行し、同心円状の複数の光出射面１３から出射することになる。
【００３６】
この場合、複数の光出射面１３間は立壁面状の非光出射面１４となっているので、複数の光出射面１３のみから光が出射する。このため、同心円状の光出射面１３は、立体感を持った光出射面となる。
【００３７】
具体的には、光出射面１３間に立壁面状の非光出射面１４が存在することによって、図９〜図１１に示されるように、照明装置４を正面から見たときの状態（図９と図１１のｃ）と、照明装置４を斜めから見たときの状態（図１０と図１１のａ，ｂ，ｄ，ｅ）とでは、光出射パターンが異なる。人の目で照明装置４を見る時、この光出射パターンとして示している部分が発光輝度面として輝いて見える。したがって、見る角度によって、点灯時の照明装置４は、異なる光出射パターンで視認される。
【００３８】
図１１について、さらに説明を加えると、点灯時の照明装置４を正面から見た場合（図１１の（ｃ））では、同心円状に形成された複数の光出射面１３は、複数の光出射面１３が隙間なく重なった一つのリング状の光出射パターンとして認識される。
【００３９】
一方、例えば右方向から照明装置４を見た場合であれば、図１１の（ｃ）から（ｂ）、（ａ）へと照明装置４の見え方が変わる。この場合、照明装置４の左側の部分は、同心円状に形成された複数の光出射面１３と光出射面１３間の非光出射面１４とが立体的に見える状態となる。したがって、この場合、点灯時の照明装置４は、複数の光出射面１３（発光領域部）と非光出射面１４（非発光領域）とが重なった光出射パターンとして認識される。
【００４０】
逆に、左方向から照明装置４を見た場合であれば、図１１の（ｃ）から（ｄ）、（ｅ）へと照明装置４の見え方が変わる。この場合、照明装置４の右側の部分は、同心円状に形成された複数の光出射面１３と光出射面１３間の非光出射面１４が立体的に見える状態となる。したがって、この場合も、点灯時の照明装置４は、複数の光出射面１３（発光領域部）と非光出射面１４（非発光領域）とが重なった光出射パターンとして認識される。
【００４１】
このように、照明装置４を見る方向がわずかに変わっただけで照明装置４の発光パターンが変化する。これにより、歩行者や他の自動車の運転者には、照明装置４の存在を強く認識させることができる。その結果、自動車１の走行時における安全性を高めることができる。
【００４２】
（実施の形態２）
図１２は、実施の形態２にかかる照明装置の斜視図である。
【００４３】
実施の形態１では、複数の光出射面１３の各々の幅は同じとしたが、図１２に示すように、本実施の形態では、複数の光出射面１３の各々は、互いに異なる幅を有する。つまり、各光出射面１３の幅を互いに異ならせてもよい。
【００４４】
例えば、複数の光出射面１３における第一の光出射面（内側光出射面）と第一の光出射面の外側に位置する第二の光出射面（外側光出射面）とにおいて、第一の光出射面の幅を第二の光出射面の幅よりも広くしてもよいし、第一の光出射面の幅を第二の光出射面の幅よりも狭くしてもよい。つまり、内側の光出射面１３の幅を外側の光出射面１３の幅より広くしたり、図１２に示すように、内側の光出射面１３の幅を外側の光出射面１３の幅より狭くしたりしてもよい。
【００４５】
（実施の形態３）
図１３は、実施の形態３にかかる照明装置の斜視図である。
【００４６】
実施の形態１では、外側の光出射面１３が内側の光出射面１３よりも前方側となる階段状としたが、本実施の形態では、逆になっている。つまり、図１３に示すように、内側の光出射面１３の方が、外側の光出射面１３よりも前方側となる階段状としてもよい。
【００４７】
（変形例）
以上、本発明に係る照明装置および自動車等について、実施の形態に基づいて説明したが、本発明は、上記の実施の形態に限定されるものではない。
【００４８】
例えば、上記の実施の形態において、照明装置４は、車体２の前方に設けられていたが、車体２の後方に設けてられていてもよいし、車体２の前方および後方の両方に設けられていてもよい。つまり、照明装置４は、車体２の前方および後方の少なくとも一箇所に配置されていればよい。
【００４９】
また、上記の実施の形態において、自動車として四輪自動車を例示したが、二輪自動車（モーターバイク）等のその他の自動車であってもよい。
【００５０】
また、上記の実施の形態において、光源７、９としてＬＥＤを用いたが、ＬＥＤ以外の固体発光素子を用いてもよい。また、光源７、９は、ＬＥＤ光源に限るものではなく、既存のランプを用いてもよい。
【００５１】
その他、実施の形態および変形例に対して当業者が思いつく各種変形を施して得られる形態や、本発明の趣旨を逸脱しない範囲で実施の形態および変形例における構成要素および機能を任意に組み合わせることで実現される形態も本発明に含まれる。
【符号の説明】
【００５２】
１  自動車
２  車体
３  ヘッドライト
４  照明装置
５  導光体
６  光入射部
７  光源
８  反射鏡
９  光源
１０  カバー
１１  本体ケース
１２  光変換部
１３  光出射面
１４  非光出射面
【図１】
2015164124.tif 000003
【図２】
2015164124.tif 000004
【図３】
2015164124.tif 000005
【図４】
2015164124.tif 000006
【図５】
2015164124.tif 000007
【図６】
2015164124.tif 000008
【図７】
2015164124.tif 000009
【図８】
2015164124.tif 000010
【図９】
2015164124.tif 000011
【図１０】
2015164124.tif 000012
【図１１】
2015164124.tif 000013
【図１２】
2015164124.tif 000014
【図１３】
2015164124.tif 000015